(57)【要約】【課題】歯間の隣接面に容易に挿入可能であり、且つ、十分な量の薬剤をカリエス部に保持可能な薬剤導入シートおよびこれを備えるキットを提供する。【解決手段】歯間に挿入可能な板状の基板シート１１と、基板シート１１の表面と裏面の少なくとも一方に形成され、弾性変形可能な機能層１２とを備え、機能層１２には、歯に付着される薬剤が吸収されている薬剤導入シート１を採用する。また、このような薬剤導入シート１と、薬剤導入シート１の少なくとも一方の端部に設けられ、薬剤導入シート１を保持する保持部とを備える薬剤導入キットを採用する。【選択図】図２
2011183043.tif 000002
【特許請求の範囲】
【請求項１】
歯間に挿入可能な板状の基板シートと、
該基板シートの表面と裏面の少なくとも一方に形成され、弾性変形可能な機能層とを備え、
前記機能層には、歯に付着される薬剤が吸収されている薬剤導入シート。
【請求項２】
前記基板シートと前記機能層の厚さの合計が５０μｍ以内である請求項１に記載の薬剤導入シート。
【請求項３】
前記機能層は、高分子材料から構成されている請求項１に記載の薬剤導入シート。
【請求項４】
前記機能層は、多孔質材料から構成されている請求項１に記載の薬剤導入シート。
【請求項５】
前記機能層は、液体を含浸することで膨張する請求項１に記載の薬剤導入シート。
【請求項６】
前記機能層には、所定温度でゾル状態からゲル状態に変化する温度応答性ポリマー水溶液が吸収されている請求項１に記載の薬剤導入シート。
【請求項７】
前記機能層は、前記基板シートの中央部に形成されている請求項１に記載の薬剤導入シート。
【請求項８】
前記薬剤は、カリエス部に特異的に付着する蛍光薬剤である請求項１に記載の薬剤導入シート。
【請求項９】
請求項１から請求項８のいずれかに記載の薬剤導入シートと、
該薬剤導入シートの少なくとも一方の端部に設けられ、前記薬剤導入シートを保持する保持部とを備える薬剤導入キット。
【請求項１０】
前記保持部は、前記薬剤導入シートに脱着可能に設けられている請求項９に記載の薬剤導入キット。
【請求項１１】
前記保持部には、前記薬剤を貯蔵する貯蔵部が設けられている請求項９に記載の薬剤導入キット。
【発明の詳細な説明】
【技術分野】
【０００１】
本発明は、薬剤導入シートおよびこれを備えるキットに関するものである。
【背景技術】
【０００２】
従来、口腔内のカリエス部を診断する手段として、オーラルヘルスケア物質を含浸させた層が設けられたストリップを口腔内に挿入する方法が知られている（例えば、特許文献１参照）。このストリップには、歯と歯の隙間とほぼ同じ間隔で固定具が設けられており、この固定具は、歯と歯の隙間に嵌合するようになっている。また、ストリップは、口腔内の湿気、化学物質、または酵素類の作用により軟化し、伸張可能である。
【０００３】
また、従来、初期う蝕に含まれる水分を吸水するシートを口腔内に挿入する方法が知られている（例えば、特許文献２参照）。このシートは、隣接する歯と歯の隙間をリング等で拡張し、その隙間に吸水シートを挿入できるように、やや薄めに形成されており、さらに挿入用ガイドなどによって挿入しやすくした形状である。
【０００４】
また、従来、ウェッジなどのスペーサーを挿入することで、歯間を拡張し、蛍光物質を歯間のカリエス部に誘導する方法が知られている（例えば、特許文献３参照）。この方法では、金属片、プラスチック片、紙片、シリンジによって、蛍光物質をカリエス部に誘導するようになっている。
【先行技術文献】
【特許文献】
【０００５】
【特許文献１】特表２００４−５３８０８５号公報
【特許文献２】特開平１１−１４６２４号公報
【特許文献３】米国特許出願公開第２００８／００３８６８６号明細書
【発明の概要】
【発明が解決しようとする課題】
【０００６】
特許文献１には、オーラルヘルスケア物質層が設けられたストリップにより、歯の表面にオーラルヘルスケアを放出することが記載されている。また、一定間隔で設けられた固定部が歯と歯の間に嵌合することで、接着機能が得られることが記載されている。しかしながら、歯と歯の間への薬剤の導入については述べられておらず、また、蛍光物質についても触れられていない。
【０００７】
また、特許文献２には、初期う蝕に含まれる微量な水分を検出可能な水分吸水シートと、歯間拡張リングとの併用によって、歯間にシートを挿入することが記載されている。しかしながら、シート自体の強度が弱いため、歯間を拡張しなければ、隣接面にはシートを挿入できず、その作業が煩雑であるという不都合がある。
【０００８】
また、特許文献３に開示されている技術によれば、プラスチック片や金属片など一定の厚さをもったシートを隣接面に挿入しているため、隣接面の広範囲にわたって薬剤を密着させることは困難であるという不都合がある。
【０００９】
すなわち、特許文献１から３に開示されている技術によれば、隣接面カリエス部に対して十分な量の薬剤をカリエス部に誘導する具体的な手段が示されていなかった。
【００１０】
本発明は、上記事情に鑑みてなされたもので、歯間の隣接面に十分な量の薬剤をカリエス部に保持可能な薬剤導入シートおよびこれを備えるキットを提供することを目的とする。
【課題を解決するための手段】
【００１１】
上記目的を達成するために、本発明は、以下の手段を採用する。
本発明の第１の態様は、歯間に挿入可能な板状の基板シートと、該基板シートの表面と裏面の少なくとも一方に形成され、弾性変形可能な機能層とを備え、前記機能層には、歯に付着される薬剤が吸収されている薬剤導入シートである。
【００１２】
本発明の第１の態様によれば、薬剤導入シートを歯間に挿入する際には、基板シートの表面と裏面の少なくとも一方に形成された機能層が弾性変形する。そして、薬剤導入シートを歯間に挿入した後には、機能層がその弾性力によって歯の隣接面に押し当てられる。これにより、機能層に含まれた薬剤を歯の隣接面に付着させたまま保持することができ、歯間の隣接面に形成されたカリエス部に十分な量の薬剤を所望の時間に渡って付着させることができる。
【００１３】
上記の第１の態様において、前記基板シートと前記機能層の厚さの合計が５０μｍ以内であることとしてもよい。
基板シートと機能層の厚さの合計を５０μｍ以内とすることで、薬剤導入シートを歯間に挿入する際の作業性を向上することができる。
【００１４】
上記の第１の態様において、前記機能層は、高分子材料から構成されていることとしてもよい。
機能層を高分子材料で構成することで、薬剤の吸水性を向上することができ、薬剤導入シートを歯間に挿入した際に、歯間の隣接面に形成されたカリエス部に十分な量の薬剤を誘導することができる。
【００１５】
上記の第１の態様において、前記機能層は、多孔質材料から構成されていることとしてもよい。
機能層を多孔質材料で構成することで、薬剤の吸水性を向上することができ、薬剤導入シートを歯間に挿入した際に、歯間の隣接面に形成されたカリエス部に十分な量の薬剤を誘導することができる。
【００１６】
上記の第１の態様において、前記機能層は、液体を含浸することで膨張することとしてもよい。
このようにすることで、薬剤導入シートを歯間に挿入した際に、口腔内の唾液等の水分によって機能層を膨張させ、機能層を歯間の隣接面に押し当てる力を大きくすることができ、薬剤導入シートを歯間に挿入した際の保持力を向上することができる。
【００１７】
上記の第１の態様において、前記機能層には、所定温度でゾル状態からゲル状態に変化する温度応答性ポリマー水溶液が吸収されていることとしてもよい。
このようにすることで、薬剤導入シートを歯間に挿入した際に、例えば口腔内の温度（３５℃〜３７℃）で、機能層に吸収された温度応答性ポリマー水溶液をゾル状態からゲル状態に変化させることができる。これにより、歯間の隣接面に形成されたカリエス部に薬剤を留まらせることができ、カリエス部に十分な量の薬剤を長時間に渡って付着させることができる。
【００１８】
上記の第１の態様において、前記機能層は、前記基板シートの中央部に形成されていることとしてもよい。
このようにすることで、薬剤導入シートを歯間に挿入した際に、歯間のカリエス部に確実に機能層を接触させることができる。
【００１９】
上記の第１の態様において、前記薬剤は、カリエス部に特異的に付着する蛍光薬剤であることとしてもよい。
これにより、歯間のカリエス部に蛍光薬剤を付着させ、その観察および診断を容易に行うことができる。
【００２０】
本発明の第２の態様は、上記の薬剤導入シートと、該薬剤導入シートの少なくとも一方の端部に設けられ、前記薬剤導入シートを保持する保持部とを備える薬剤導入キットである。
このような薬剤導入キットによれば、保持部を掴んで口腔内の歯間に薬剤導入シートを挿入することができ、その作業性を向上することができる。
【００２１】
上記の第２の態様において、前記保持部は、前記薬剤導入シートに脱着可能に設けられていることとしてもよい。
このようにすることで、口腔内の歯間に薬剤導入シートを挿入した後に、薬剤導入シートから保持部を取り外すことができる。これにより、口腔内のスペースを確保するとともに、保持部を複数の薬剤導入シートで兼用して、その製造コストを低減することができる。
【００２２】
上記の第２の態様において、前記保持部には、前記薬剤を貯蔵する貯蔵部が設けられていることとしてもよい。
このようにすることで、口腔内の歯間に薬剤導入シートを挿入した後に、貯蔵部に貯蔵された薬剤を歯間のカリエス部に対して徐放することができ、カリエス部に十分な量の薬剤を長時間に渡って付着させることができる。また、例えば薬剤に温度応答性ポリマー水溶液を使用する場合、薬剤導入シートを歯間に挿入した後に薬剤を放出することで、薬剤導入シートを歯間に挿入している最中に、温度応答性ポリマー水溶液がゲル化してしまうことを防止することができる。
【発明の効果】
【００２３】
本発明によれば、歯間の隣接面に容易に挿入可能であり、且つ、十分な量の薬剤をカリエス部に保持できるという効果を奏する。
【図面の簡単な説明】
【００２４】
【図１】本発明の第１の実施形態に係る薬剤導入シートの斜視図である。
【図２】図１の薬剤導入シートの横断面図である。
【図３】図１の薬剤導入シートの機能層が膨張する状態を説明する図である。
【図４】図１の薬剤導入シートを歯間に挿入した状態を説明する図である。
【図５】図４の薬剤導入シートが膨張した状態を説明する図である。
【図６】本発明の第２の実施形態に係る薬剤導入シートの斜視図である。
【図７】図６の薬剤導入シートの作用を説明する図である。
【図８】図６の薬剤導入シートを歯間に挿入する状態を説明する図である。
【図９】図８の薬剤導入シートが膨張した状態を説明する図である。
【図１０】図８の薬剤導入シートの作用を説明する図である。
【図１１】図１０のＡ部の部分拡大図である。
【図１２】本発明の第３の実施形態に係る薬剤導入シートユニットを示しており、（ａ）は斜視図、（ｂ）は横断面図である。
【図１３】本発明の第３の実施形態に係る保持部を示しており、（ａ）は斜視図、（ｂ）は横断面図である。
【図１４】本発明の第３の実施形態に係る薬剤導入キットの横断面図である。
【図１５】図１４の薬剤導入キットの適用例を示す斜視図である。
【図１６】図１２の薬剤導入シートユニットを挿入する口腔内の上視図である。
【図１７】図１４の取り付け部と保持部とを嵌合させる状態を示す図である。
【図１８】図１７の薬剤導入キットを歯間に挿入する状態を示す図である。
【図１９】図１８の取り付け部から保持部を取り外す状態を示す図である。
【図２０】第１の変形例に係る薬剤導入キットの側面図である。
【図２１】第２の変形例に係る薬剤導入キットを示しており、（ａ）は斜視図、（ｂ）は横断面図である。
【図２２】第３の変形例に係る薬剤導入キットの側面図である。
【図２３】図２２の薬剤導入キットの薬剤注入時の状態を説明する図である。
【図２４】図２２の薬剤導入キットの機能層への薬剤供給時の状態を説明する図である。
【発明を実施するための形態】
【００２５】
［第１の実施形態］
以下、本発明の第１の実施形態に係る薬剤導入シート１について、図面を参照して説明する。
図１に示すように、本実施形態に係る薬剤導入シート１は、歯３５と歯３６との間（歯間）に挿入されることで、歯間の隣接面に形成されたカリエス部に薬剤を導入するシートである。薬剤導入シート１は、歯間に挿入することができるように、例えば縦１０ｍｍ×横２０ｍｍ×厚さ５０μｍ程度の大きさを有している。ここで、厚さを５０μｍ以内とすることで、薬剤導入シート１を歯間に挿入する際の作業性を向上することができる。
【００２６】
薬剤導入シート１は、図２に示すように、歯間に挿入可能な板状の基板シート１１と、基板シート１１の表面および裏面に形成された機能層１２とを備えている。
基板シート１１は、歯間に挿入できるように所定の強度を有する板状のシートであり、その両面に機能層１２が形成されている。基板シート１１は、具体的には、ポリエチレン、ポリオレフィン系フィルム、ポリエステル、ポリカーボネートフィルム、ポリスチレンフィルムなどから構成されている。
【００２７】
機能層１２は、吸水性および弾性を有しており、歯に付着される薬剤が吸収されている。
機能層１２は、例えば高分子材料から構成されている。機能層１２を高分子材料で構成することで、薬剤の吸水性を向上することができ、薬剤導入シート１を歯間に挿入した際に、歯間の隣接面に形成されたカリエス部に十分な量の薬剤を誘導することができる。
【００２８】
また、機能層１２は、図３に示すように、液体を含浸することで膨張する性質を有している。これにより、薬剤導入シート１を歯間に挿入した際に、口腔内の唾液等の水分によって機能層１２を膨張させ、機能層１２を歯間の隣接面に押し当てる力を大きくすることができ、薬剤導入シート１を歯間に挿入した際の保持力を向上することができる。
【００２９】
機能層１２に吸収されている薬剤は、具体的には、HiLyte Fluor, Qdot, Indocyanine Green（ＩＣＧ）, Doxorubicin, Riboflavin, Chlorophyll, Porphyrin, Osteosense, Gold nanoshell, Bacteriochlorophyllからなる色素と、少なくともポリアクリル酸、メタクリル酸、２−アクリロイルエタンスルホン酸等の高分子材料と、ヒアルロン酸、カラギーナン、カルボキシメリツセルロースナトリウム塩、アルギン酸の多糖類と、コラーゲン、ゼラチン等のたんぱく質とから構成されており、カリエス部に特異的に付着する。
【００３０】
上記構成を有する薬剤導入シート１を歯間に挿入した際の作用について説明する。
図４に示すように、薬剤導入シート１を歯３５と歯３６との間（歯間）に挿入する際には、基板シート１１の表面および裏面に形成された機能層１２が弾性変形する。したがって、歯間を拡張する歯間拡張リング等の器具を用いることなく、容易に薬剤導入シート１を歯間に挿入することができる。
【００３１】
そして、薬剤導入シート１を歯間に挿入した後には、機能層１２がその弾性力によって歯３５および歯３６の隣接面に押し当てられる。また、機能層１２が口腔内の唾液等の水分を吸収することで、図５に示すように、機能層１２の高分子材料が膨張し、歯３５と歯３６との隙間一杯に薬剤導入シート１が広がる。
【００３２】
これにより、機能層１２に含まれた薬剤を歯３５および歯３６の隣接面に付着させたまま保持することができる。この状態において、機能層１２に含有されている色素が、高分子材料と一緒に水に溶けて色素水溶液となり、この色素水溶液が徐放されることで、歯３５および歯３６の隣接面全体にかつ均一に色素を導入することが可能となる。これにより、歯３５および歯３６の隣接面に形成されたカリエス部に十分な量の薬剤を、所望の時間に渡って付着させることができる。
【００３３】
また、機能層１２を、基板シート１１の中央部に形成することで、薬剤導入シート１を歯間に挿入した際に、歯間のカリエス部１７に確実に機能層１２を接触させることができる。
なお、本実施形態において、機能層１２が口腔内の唾液等の水分を吸収することで膨張すると説明したが、機能層１２を膨張させるために、歯間に挿入した後に水やアルコール水溶液を薬剤導入シート１に散布することとしてもよい。
【００３４】
［第２の実施形態］
次に、本発明の第２の実施形態に係る薬剤導入シート２について、図面を参照して説明する。本実施形態の説明において、第１の実施形態に係る薬剤導入シート１と共通する点については説明を省略し、異なる点について主に説明する。
本実施形態に係る薬剤導入シート２は、図６に示すように、歯間に挿入可能な板状の基板シート１１と、基板シート１１の表面および裏面に形成（接着）された機能層１２とを備えている。
【００３５】
機能層１２は、多数の孔を有するスポンジ状の多孔質材料で構成されており、吸水性および弾性を有している。この多孔質材料は、例えば１〜３ｍｍ程度の厚さを有している。
機能層１２には、カリエス部７に特異的に反応する蛍光薬剤１５と、所定温度でゾル状態からゲル状態に変化する温度応答性ポリマー１６とが溶けた温度応答性ポリマー水溶液１７が保持されている。
【００３６】
温度応答性ポリマー水溶液１７は、例えば、HylyteFluor, Qdot, IndocyanineGreen, Doxorubicin, Riboflavin, Chlorophyll, Porphyrin, Osteosense, Gold nanoshellなどからなる色素を含み、なおかつ、Polyethelene oxide, Poly copolymers, PEO-PPO-PEO triblock surfactants, Alkyl-PEO block surfactants, Poly(vinyl methyl ether), Poly(osyethelene vinyl ether), Hydrosypropyl acrylate, Hydroxypropyl methylcellulose, Hydroxypropyl cellulose, Methylcellulose, Poly(vinyl alcohol), Poly(N-substituted acrylamides), Poly(N-vinyl pyrrolidone), Poly(ethyl oxazoline), Poly(N-vinylisobutylamide), Poly(2-carboxyisopropylacrylamide), Poly(methacrylic acid)などの温度応答性を有する高分子材料を含む水溶液である。
【００３７】
温度応答性ポリマー水溶液１７は、例えば３５℃〜３７℃においてゾル状態からゲル状態に転移する転移温度を有している。これにより、温度応答性ポリマー水溶液１７は、図７に示すように、３５℃〜３７℃に加温されることによって、温度応答性ポリマー１６がゲル化し、蛍光薬剤１５が水とともに徐放されるようになっている。
【００３８】
上記構成を有する薬剤導入シート２を歯間に挿入した際の作用について説明する。
図８に示すように、歯３６の歯３５との隣接面には、カリエス部７が形成されている。
薬剤導入シート２を歯間に挿入する際には、基板シート１１の表面および裏面に接着された機能層１２が弾性変形する。すなわち、歯間を拡張する歯間拡張リング等の器具を用いることなく、容易に薬剤導入シート２を歯間に挿入することができる。
【００３９】
そして、薬剤導入シート２を歯間に挿入した後には、図９に示すように、機能層１２がその弾性力によって歯３５および歯３６の隣接面に押し当てられる。これにより、機能層１２に含まれた蛍光薬剤１５を歯３５および歯３６の隣接面に付着させたまま保持することができる。
【００４０】
この状態において、高分子材料と一緒に機能層１２に含有されている蛍光薬剤１５が、水に溶けて色素水溶液となり、この色素水溶液が徐放されることで、図１０に示すように、歯３５および歯３６の隣接面全体に対して均一に蛍光薬剤１５を導入することが可能となる。
【００４１】
また、カリエス部７に浸透した温度応答性ポリマー１６が、口腔内温度によって温められ、転移温度に達する。転移温度に達した温度応答性ポリマー水溶液１７は、ゲル化して、温度応答性ポリマー水溶液１７内の蛍光薬剤１５が、水と一緒にカリエス部７に徐放される。さらに、温度応答性ポリマー１６が、図１１に示すように、カリエス部７において口腔内の温度により温められてゲル化することで、蛍光薬剤１５を長時間に渡ってカリエス部７に留まらせることができる。これにより、カリエス部７に十分な量の蛍光薬剤１５を長時間に渡って付着させることができる。
【００４２】
また、カリエス部７に導入する薬剤を、カリエス部７に特異的に付着する蛍光薬剤１５とすることで、歯間のカリエス部７に蛍光薬剤１５を付着させ、その観察および診断を容易に行うことができる。
【００４３】
［第３の実施形態］
次に、本発明の第３の実施形態に係る薬剤導入キット３について、図面を参照して説明する。本実施形態の説明において、前述の各実施形態に係る薬剤導入シート１，２と共通する点については説明を省略し、異なる点について主に説明する。
【００４４】
本実施形態に係る薬剤導入キット３は、第１の実施形態に係る薬剤導入シート１と、薬剤導入シート１を保持する保持部２２とを備えている。なお、本実施形態では、一例として第１の実施形態に係る薬剤導入シート１を用いた例を説明するが、第２の実施形態に係る薬剤導入シート２を用いても同様の作用効果を得ることができる。
【００４５】
本実施形態に係る薬剤導入キット３は、図１２（ａ）および図１２（ｂ）に示す薬剤導入シートユニット２０と、図１３（ａ）および図１３（ｂ）に示す保持部２２から構成されている。
薬剤導入シートユニット２０は、図１２（ａ）および図１２（ｂ）に示すように、第１の実施形態に係る薬剤導入シート１と、薬剤導入シート１の端部に設けられ、保持部２２と嵌合する取り付け部２１とを備えている。
【００４６】
取り付け部２１は、２枚の長方形状の板材で構成され、２枚の板材によって薬剤導入シート１の基板シート１１部分を挟み込んで接着されることで、薬剤導入シート１の端部に固定されている。
取り付け部２１は、図１２（ａ）に示すように、薬剤導入シート１の長手方向に延びる角材であり、図１２（ｂ）に示すように、長方形の横断面を有している。
【００４７】
保持部２２は、図１３（ａ）に示すように、取り付け部２１よりも長い角材であり、端部を作業者が持つことができるようになっている。
保持部２２は、図１３（ｂ）に示すように、保持部２２の長手方向に延び、取り付け部２１の横断面形状よりも大きな横断面形状を有する溝２５が形成されている。この溝２５の両側面には、保持部２２の長手方向に直交する方向に延び、取り付け部２１と嵌合する嵌合部２６が設けられている。
【００４８】
上記構成を有することで、図１４に示すように、薬剤導入シート１に設けられた取り付け部２１を保持部２２の溝２５に挿入することで、保持部２２の嵌合部２６に取り付け部２１を嵌合させることができるようになっている。
また、この状態から取り付け部２１に対して、保持部２２を長手方向にスライドさせることで、取り付け部２１から保持部２２を取り外すことができるようになっている。
【００４９】
上記構成を有する薬剤導入キット３の作用について説明する。
ここでは、図１５に示すように、１２枚の薬剤導入シートユニット２０が、ケース２８に収納されている場合を一例として説明する。この例では、ケース２８から保持部２２によって薬剤導入シートユニット２０を１枚ずつ取り出し、取り出した薬剤導入シートユニット２０を、図１６に示すように、口腔内の歯間にそれぞれ挿入する。
【００５０】
この場合において、まず、図１７に示すように、保持部２２を薬剤導入シート１の長手方向に操作して、薬剤導入シートユニット２０の取り付け部２１を、保持部２２の溝２５に挿入し、取り付け部２１と保持部２２とを嵌合させる。
【００５１】
次に、図１８に示すように、保持部２２の端部を持って、口腔内の歯３５と歯３６との間に薬剤導入シート１を挿入する。
薬剤導入シート１を歯間に挿入後は、図１９に示すように、保持部２２を薬剤導入シート１の長手方向（ユーザから見て手前方向）に操作して、保持部２２を取り付け部２１から取り外す。
【００５２】
以上のように、本実施形態に係る薬剤導入キット３によれば、保持部２２を掴んで口腔内の歯間に薬剤導入シート１を挿入することができ、その作業性を向上することができる。
また、保持部２２を、薬剤導入シートユニット２０に脱着可能とすることで、口腔内の歯間に薬剤導入シート１を挿入した後に、薬剤導入シート１から保持部２２を取り外すことができる。これにより、口腔内のスペースを確保するとともに、保持部２２を複数の薬剤導入シート１で兼用して、その製造コストを低減することができる。
【００５３】
なお、取り付け部２１は、保持部２２と嵌合可能であればよく、４つの角が面取りされた横断面形状を有していてもよく、三角形や五角形等の多角形形状を有していてもよい。さらに、取り付け部２１は、必ずしも薬剤導入シート１の長手方向全体にわたって延びている必要はなく、例えば薬剤導入シート１の長手方向の端部２箇所に設けられていることとしてもよい。
【００５４】
［第１の変形例］
以下に、本実施形態の第１の変形例に係る薬剤導入キット４について説明する。
本変形例に係る薬剤導入キット４は、図２０に示すように、薬剤導入シートユニット２０の取り付け部２１が、薬剤導入シート１の長手方向に横断面が小さくなるようなテーパ形状を有している。
【００５５】
また、保持部２２に設けられた溝２５は、取り付け部２１の形状に合わせて、先端部から基端部に向かって横断面が小さくなるように形成されている。
このように溝２５を形成することで、保持部２２と薬剤導入シートユニット２０との脱着作業、特に保持部２２を薬剤導入シートユニット２０から取り外す作業を容易に行うことができ、その作業性を向上することができる。
【００５６】
［第２の変形例］
以下に、本実施形態の第２の変形例に係る薬剤導入キットについて説明する。
本変形例に係る薬剤導入キットは、図２１（ａ）および図２１（ｂ）に示すように、薬剤導入シートユニット２０の取り付け部２１が円形の横断面形状を有し、半径方向外方に突起する突起部３１が設けられている。
また、保持部２２に設けられた溝２５は、取り付け部２１の形状に合わせて、突起部３１が嵌合する溝３２が形成されている。
【００５７】
このように取り付け部２１（突起部３１）および溝３２を形成することで、取り付け部２１を保持部２２の溝２５に挿入した際に、突起部３１が、保持部２２に対して薬剤導入シートユニット２０が取り付け部２１の中心軸線回りに回転してしまうことを防止する係止手段として機能する。
【００５８】
本変形例に係る薬剤導入キットによれば、取り付け部２１が円形の横断面形状を有しているため、薬剤導入シートユニット２０を歯間の隣接面に挿入する際に、取り付け部２１が口腔内の軟組織に接触した場合のケガを防止するとともに、その際の痛みを緩和することができる。
【００５９】
［第３の変形例］
以下に、本実施形態の第３の変形例に係る薬剤導入キット６について説明する。
本変形例に係る薬剤導入キット６は、図２２に示すように、保持部２２には、薬剤を貯蔵する貯蔵部４１が設けられている。
【００６０】
保持部２２には、機能層１２および貯蔵部４１と連通し、貯蔵部４１に貯蔵されている薬剤を薬剤導入シート１の機能層１２に供給する空洞部４２が設けられている。
また、貯蔵部４１の周囲には、作業者の体温が貯蔵部４１内の薬剤に伝わることを防止する断熱材４３が設けられている。
【００６１】
上記構成を有する薬剤導入キット６の作用について説明する。
図２３に示すように、作業者が保持部２２を握ることで、貯蔵部４１の内部に封入されている薬剤が押し出され、薬剤は空洞部４２に送られる。
そして、図２４に示すように、空洞部４２を送られてきた薬剤は、薬剤導入シート１の機能層１２に供給され、機能層１２に薬剤が浸潤する。
【００６２】
以上のように、本変形例に係る薬剤導入キット６によれば、口腔内の歯間に薬剤導入シート１を挿入した後に、貯蔵部４１に貯蔵された薬剤を歯間のカリエス部に対して徐放することができ、カリエス部に十分な量の薬剤を長時間に渡って付着させることができる。また、例えば薬剤に温度応答性ポリマー水溶液を使用する場合、薬剤導入シート１を歯間に挿入した後に薬剤を放出することで、薬剤導入シート１を歯間に挿入している最中に、温度応答性ポリマー水溶液がゲル化してしまうことを防止することができる。
【００６３】
以上、本発明の実施形態について図面を参照して詳述してきたが、具体的な構成はこの実施形態に限られるものではなく、本発明の要旨を逸脱しない範囲の設計変更等も含まれる。
例えば、各実施形態において、機能層１２は、基板シート１１の表面および裏面に形成されているとして説明したが、基板シート１１の一方の面のみに形成されていることとしてもよい。
【符号の説明】
【００６４】
１，２  薬剤導入シート
３，４，６  薬剤導入キット
７  カリエス部
１１  基板シート
１２  機能層
１５  蛍光薬剤
１６  温度応答性ポリマー
１７  温度応答性ポリマー水溶液
２０  薬剤導入シートユニット
２１  取り付け部
２２  保持部
２５  溝
３１  突起部
４１  貯蔵部
４２  空洞部
４３  断熱材
【図１】
2011183043.tif 000003
【図２】
2011183043.tif 000004
【図３】
2011183043.tif 000005
【図４】
2011183043.tif 000006
【図５】
2011183043.tif 000007
【図６】
2011183043.tif 000008
【図７】
2011183043.tif 000009
【図８】
2011183043.tif 000010
【図９】
2011183043.tif 000011
【図１０】
2011183043.tif 000012
【図１１】
2011183043.tif 000013
【図１２】
2011183043.tif 000014
【図１３】
2011183043.tif 000015
【図１４】
2011183043.tif 000016
【図１５】
2011183043.tif 000017
【図１６】
2011183043.tif 000018
【図１７】
2011183043.tif 000019
【図１８】
2011183043.tif 000020
【図１９】
2011183043.tif 000021
【図２０】
2011183043.tif 000022
【図２１】
2011183043.tif 000023
【図２２】
2011183043.tif 000024
【図２３】
2011183043.tif 000025
【図２４】
2011183043.tif 000026